【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
ハウジング（４）内で旋回可能な主ミラー（２）と、旋回可能な補助ミラー（６）とを有するレフレックスカメラ用ミラー装置であって、
−  前記主ミラー（２）は、中央領域（５）において部分透過性であり、前記補助ミラー（６）は、光入射方向において、部分透過性の該中央領域（５）の背後に配置されており、前記補助ミラー（６）の大きさは該中央領域（５）に適合されており、
−  該ミラー装置の上側位置において前記主ミラー（２）と前記補助ミラー（６）は一平面内に位置し、該ミラー装置の下側位置において前記主ミラー（２）は前記上側位置に対して４５°未満に配向されており且つ前記補助ミラー（６）は前記主ミラー（２）に対して傾斜して配向されており、
前記主ミラー（２）は、回動軸（２０）回りで回動可能なガイドレバー（１９）に、該主ミラー（２）が前記下側位置への移行時に旋回且つ下降されるように枢支されている、
前記ミラー装置において、
前記補助ミラー（６）は、前記ハウジング（４）に回動可能に支持されている旋回アーム（２２）と結合されており、該旋回アーム（２２）は、前記ガイドレバー（１９）の前記回動軸（２０）と平行な回動軸（２３）の回りで旋回可能に配置されていること、及び、
前記主ミラー（２）と、前記補助ミラー（６）の前記旋回アーム（２２）とに連結されている調節レバー（１５）が、前記上側位置から前記下側位置へ並びに前記下側位置から前記上側位置へ前記主ミラー（２）と前記補助ミラー（６）を同時に運動させるために設けられていること
を特徴とするミラー装置。
【請求項２】
前記ガイドレバー（１９）はＵ字形状であり、前記主ミラー（２）は該ガイドレバー（１９）のＵ字形脚部の間に配置されており、該Ｕ字形脚部の自由端部は前記ハウジング（４）に回動可能に支持されており、前記主ミラー（２）は、該Ｕ字形脚部の基底部端部に回動可能に支持されていること
を特徴とする、請求項１に記載のミラー装置。
【請求項３】
前記ガイドレバー（１９）における前記主ミラー（２）の旋回軸（３）から間隔を置いて、前記主ミラー（２）の下面側には、前記調節レバー（１５）と前記主ミラー（２）を連結させるサイドプレート（１８）が配置されていること
を特徴とする、請求項１に記載のミラー装置。
【請求項４】
前記補助ミラー（６）と結合されている前記旋回アーム（２２）はＵ字形状であり、該旋回アーム（２２）のＵ字形脚部の自由端部は前記ハウジング（４）内において回動可能に支持されており、前記補助ミラー（６）は、該Ｕ字形脚部の間に位置し、Ｕ字形基底部と結合されていること
を特徴とする、請求項１に記載のミラー装置。
【請求項５】
前記調節レバー（１５）には、長穴（２６）を備えた連結プレート（２４）が回動可能に支持されていて、該連結プレート（２４）は、前記長穴（２６）を介して前記旋回アーム（２２）のピン（２７）と係合していること
を特徴とする、請求項１に記載のミラー装置。
【請求項６】
前記調節レバー（１５）は、前記ハウジング（４）に回動可能に支持されていること
を特徴とする、請求項５に記載のミラー装置。
【請求項７】
前記調節レバー（１５）には、該ミラー装置の前記上側位置において光遮断器（２９）を遮断するトング（２８）が装着されていること
を特徴とする、請求項１に記載のミラー装置。
【請求項８】
前記ハウジング（４）には、前記主ミラー（２）の旋回運動及び前記補助ミラー（６）の前記旋回アーム（２２）の旋回運動のための複数のストッパ（１０、１２；３１）が装着されていること
を特徴とする、請求項１に記載のミラー装置。
【請求項９】
前記補助ミラー（６）の前記旋回アーム（２２）は、前記ストッパ（３１）における当接を確保するために及び前記主ミラー（２）における当接を確保するために、前記ハウジング（４）に固定されている引張ばね（３０）と結合されていること
を特徴とする、請求項８に記載のミラー装置。
【請求項１０】
前記調節レバー（１５）は、過荷重ばね（３３）を介し、該調節レバー（１５）の回動軸受（１６）において駆動クランク（３２）と連結されており、該駆動クランク（３２）は、前記ハウジング（４）に固定されている戻しばね（３７）と結合されていること
を特徴とする、請求項８に記載のミラー装置。
【手続補正２】
【補正対象書類名】明細書
【補正対象項目名】０００１
【補正方法】変更
【補正の内容】
【０００１】
本発明は、請求項１の上位概念部（前置部）に記載した構成を有するレフレックスカメラ用ミラー装置に関する。
即ち、ハウジング内で旋回可能な主ミラーと、旋回可能な補助ミラーとを有するレフレックスカメラ用ミラー装置であって、前記主ミラーは、中央領域において部分透過性であり、前記補助ミラーは、光入射方向において、部分透過性の該中央領域の背後に配置されており、前記補助ミラーの大きさは該中央領域に適合されており、該ミラー装置の上側位置において前記主ミラーと前記補助ミラーは一平面内に位置し、該ミラー装置の下側位置において前記主ミラーは前記上側位置に対して４５°未満に配向されており且つ前記補助ミラーは前記主ミラーに対して傾斜して配向されており、前記主ミラーは、回動軸回りで回動可能なガイドレバーに、該主ミラーが前記下側位置への移行時に旋回且つ下降されるように枢支されているという構成を有するレフレックスカメラ用ミラー装置に関する。
【手続補正３】
【補正対象書類名】明細書
【補正対象項目名】０００９
【補正方法】変更
【補正の内容】
【０００９】
【特許文献１】EP 1 612 600 A1
【特許文献２】DE 25 42 076 A1
【特許文献３】DE 40 19 276 A1
【特許文献４】JP 07 013260 A
【手続補正４】
【補正対象書類名】明細書
【補正対象項目名】００１４
【補正方法】変更
【補正の内容】
【００１４】
前記課題は、本発明の一視点により、冒頭に掲げた形式のミラー装置において、本発明に従い、請求項１の特徴部に記載の構成により解決される。
即ち、前記ミラー装置において、以下の特徴を有する。前記補助ミラーは、前記ハウジングに回動可能に支持されている旋回アームと結合されており、該旋回アームは、前記ガイドレバーの前記回動軸と平行な回動軸の回りで旋回可能に配置されていること、及び、前記主ミラーと、前記補助ミラーの前記旋回アームとに連結されている調節レバーが、前記上側位置から前記下側位置へ並びに前記下側位置から前記上側位置へ前記主ミラーと前記補助ミラーを同時に運動させるために設けられていること。
また本発明の有利な形態は、下位請求項の特徴から明らかである。即ち、本発明において下記の形態が可能である。尚、本願の特許請求の範囲に付記されている図面参照符号は専ら本発明の理解の容易化のためのものであり、図示の形態への限定を意図するものではないことを付言する。
（形態１）上記一視点のとおり。
（形態２）前記ガイドレバーはＵ字形状であり、前記主ミラーは該ガイドレバーのＵ字形脚部の間に配置されており、該Ｕ字形脚部の自由端部は前記ハウジングに回動可能に支持されており、前記主ミラーは、該Ｕ字形脚部の基底部端部に回動可能に支持されていることが好ましい。
（形態３）前記ガイドレバーにおける前記主ミラーの旋回軸から間隔を置いて、前記主ミラーの下面側には、前記調節レバーと前記主ミラーを連結させるサイドプレートが配置されていることが好ましい。
（形態４）前記補助ミラーと結合されている前記旋回アームはＵ字形状であり、該旋回アームのＵ字形脚部の自由端部は前記ハウジング内において回動可能に支持されており、前記補助ミラーは、該Ｕ字形脚部の間に位置し、Ｕ字形基底部と結合されていることが好ましい。
（形態５）前記調節レバーには、長穴を備えた連結プレートが回動可能に支持されていて、該連結プレートは、前記長穴を介して前記旋回アームのピンと係合していることが好ましい。
（形態６）前記調節レバーは、前記ハウジングに回動可能に支持されていることが好ましい。
（形態７）前記調節レバーには、該ミラー装置の前記上側位置において光遮断器を遮断するトングが装着されていることが好ましい。
（形態８）前記ハウジングには、前記主ミラーの旋回運動及び前記補助ミラーの前記旋回アームの旋回運動のための複数のストッパが装着されていることが好ましい。
（形態９）前記補助ミラーの前記旋回アームは、前記ストッパにおける当接を確保するために及び前記主ミラーにおける当接を確保するために、前記ハウジングに固定されている引張ばねと結合されていることが好ましい。
（形態１０）前記調節レバーは、過荷重ばねを介し、該調節レバーの回動軸受において駆動クランクと連結されており、該駆動クランクは、前記ハウジングに固定されている戻しばねと結合されていることが好ましい。